(57)【要約】      （修正有）【課題】機械式多軸工作機械に対して一定の付加的改良を提供する。【解決手段】本発明によれば、（１）スピンドルアセンブリ２６Ａがそれらの各軸を中心に、互いに独立して部材に対して回転できるようにする点、（２）フレーム２２に対する部材の角度位置を高価なエンコーダなどを使用することなく決定するための、低コストでありながら非常に効果的なセンサ装置を設ける点、（３）フレーム２２に対してより正確に回転可能に部材を取り付ける点、および（４）ワークピースに作用を与えるために、フレーム２２上にバックラッシュゼロのツールスライドを設けた機械式多軸工作機械。【選択図】図１
2020128006.tif 000002
【特許請求の範囲】
【請求項１】
フレームと、
部材軸を中心に回転するように前記フレームに取り付けられた部材と、
前記部材を、角度的に離間した複数の割出し位置間で順次、前記フレームに対して選択的に回転させるように、前記フレームおよび部材間で作用するインデックス機構と、
前記フレームに対する前記部材の角度位置を決定するためのセンサ装置と
を有する工作機械であって、
前記センサ装置は、
前記フレームおよび部材の一方に取り付けられ、かつ前記フレームおよび部材の他方と対面するように配置された第１の複数のセンサであって、それらは第１のアレイに配置されている、第１の複数のセンサと、
各割出し位置で前記フレームおよび部材の他方に設けられ、かつ前記センサと対面するように配置された第２の複数のフィーチャであって、それらは第２のアレイに配置されている、第２の複数のフィーチャと、
前記センサから信号を生成する手段であって、前記信号は、前記フレームに対する前記部材の特定の割出し位置を示す、信号生成手段と
を有している、工作機械。
【請求項２】
前記第２の複数のフィーチャは、前記割出し位置のうちのいくつかで、前記第１の複数のセンサと異なっている、請求項１に記載の工作機械。
【請求項３】
前記センサは、前記フレームと部材との界面を横切る材料の有無を感知するように動作可能に配置された近接センサであり、また前記フィーチャは、前記フレームおよび部材の他方に設けられた少なくとも１つの穴を含む、請求項１に記載の工作機械。
【請求項４】
前記第１のアレイは、前記部材が各割出し位置にあるときに、前記第２のアレイと対面するように配置されている、請求項１に記載の工作機械。
【請求項５】
前記部材は、複数のスピンドルアセンブリが取り付けられるヘッドであり、前記ヘッドはヘッド軸を有し、各スピンドルアセンブリは個別のスピンドル軸を有し、また前記スピンドルアセンブリは、前記ヘッド軸を中心に前記ヘッドと共に回転するように、かつそれぞれの前記個別のスピンドル軸を中心に前記ヘッドに対して回転するように、前記ヘッドに取り付けられている、請求項１に記載の工作機械。
【請求項６】
前記工作機械はＤａｖｅｎｐｏｒｔ（登録商標）自動旋盤である、請求項５に記載の工作機械。
【請求項７】
フレームと、
部材軸を中心に回転するように前記フレームに取り付けられた部材と、
前記部材を、角度的に離間した複数の割出し位置間で順次、前記フレームに対して前記部材軸を中心に選択的に回転させるように、前記フレームおよび部材間で作用するインデックス機構と、
前記部材と共に回転するように前記部材に取り付けられた複数のスピンドルアセンブリであって、それぞれが、それ自体の個別のスピンドルアセンブリ軸を中心に前記部材に対して回転するように取り付けられている複数のスピンドルアセンブリと、
前記フレームに対する前記部材の位置が、前記割出し位置の各位置に制御され得るように、前記部材およびフレーム間で作用する少なくとも１つの転動体ベアリングと
を有する、多軸工作機械。
【請求項８】
前記工作機械はＤａｖｅｎｐｏｒｔ（登録商標）自動旋盤であり、前記部材は前記旋盤のヘッドである、請求項７に記載の工作機械。
【請求項９】
フレームと、
部材軸を中心に回転するように前記フレームに取り付けられた部材と、
前記部材を、角度的に離間した複数の割出し位置間で順次、前記フレームに対して前記部材軸を中心に回転させるように、前記フレームおよび部材間で作用するインデックス機構と、
前記部材と共に回転するように前記部材に取り付けられた複数のスピンドルアセンブリであって、それぞれが、それ自体の個別のスピンドル軸を中心に前記部材に対して回転するように取り付けられている複数のスピンドルアセンブリと、
ワークピースを保持するように各スピンドルアセンブリに取り付けられたチャックと、
前記スピンドルアセンブリをそれぞれ、互いに独立して所望の角速度で制御可能に回転させる手段と、
前記フレームに取り付けられ、かつ各割出し位置において前記ワークピースに対して制御可能に動かされるように配置されたバックラッシュゼロのツールスライドと、
前記ワークピースに作用を与えるために前記スライドに取り付けられたツールと
を有する、多軸工作機械。
【請求項１０】
前記ツールスライドはボールねじを含む、請求項９に記載の多軸工作機械。
【請求項１１】
前記ツールスライドはリニアレールを含む、請求項９に記載の多軸工作機械。
【請求項１２】
前記工作機械はＤａｖｅｎｐｏｒｔ（登録商標）５軸自動旋盤であり、前記部材は前記旋盤のヘッドである、請求項９に記載の多軸工作機械。
【発明の詳細な説明】
【技術分野】
【０００１】
本発明は、概して工作機械に関し、より詳細には、機械式多軸工作機械に対してその性能を向上させるために行うことができる種々の改良に関する。この改良は、具体的にはＤａｖｅｎｐｏｒｔ（登録商標）多軸自動旋盤での使用に適合しているが、これに限定されない。
【背景技術】
【０００２】
自動旋盤は、棒材を機械加工して種々の部品を作製するための工作機械である。棒材は、円形、正方形または多角形の横断面を有していてもよく、１０フィート〜１２フィートオーダーの軸方向長さで旋盤に供給されることができる。旋盤は通常、支持フレーム上に回転可能に取り付けられるヘッドを有する。このヘッドは、複数の一連の角度位置を通して、ヘッド軸を中心に制御可能に割出しできる。円状に間隔を置いて配置される複数のスピンドルアセンブリが、ヘッド軸を中心にヘッドと共に回転し、かつ種々の個別のスピンドルアセンブリ軸を中心にヘッドに対して回転するように、これらをヘッドに取り付けている。数本の棒材を各スピンドルアセンブリに軸方向に供給し、これらをヘッドアセンブリと共にヘッド軸を中心に回転させる。したがって、回転可能なヘッドと種々のスピンドルアセンブリに供給される棒材とは、その外観がガトリング砲に幾分似ている。ヘッドの種々の角度位置でスピンドルアセンブリのコレットによって保持され、かつこれらを越えて延びる片持ち長さの棒材（すなわち、ワークピース）に対して種々の機械加工を施すように旋盤が適合されている。
【０００３】
通常、スピンドルアセンブリはそれぞれ、ヘッドに回転可能に取り付けられる外側スピンドルを有し、それ自体の個別のスピンドルアセンブリ軸に沿って延びている。いくつかのスピンドルアセンブリ軸はヘッド軸と平行である。外側スピンドルはそれぞれ、内向きかつ前向きの円錐台状のカム面を有する。内側スピンドルは、関連するスピンドルアセンブリ軸を中心に外側スピンドルと共に回転するように、外側スピンドル内に配置されており、かつ関連する外側スピンドルに対する軸方向移動の制限のために取り付けられている。スピンドル移動手段または機構が、内側スピンドルに対して力を加えて、外側スピンドルに対して１つの軸方向に内側スピンドルを制御可能に移動させるように、動作可能に配置されている。コレットは、内側スピンドルと共に動作するように、内側スピンドル上に取り付けられている。コレットは、本体から前方に延びる複数のフィンガを有する。これらのフィンガは、関連する外側スピンドル上の内向きのカム面と係合する、角度分割された外向きかつ後ろ向きの円錐台状のカム面を有する。フィンガはそれぞれ、外側スピンドルに対してかかる１つの軸方向に内側スピンドルが移動したときに、半径方向内向きに移動して、棒材の貫通部分と係合するように構成されたパッドを有する。スピンドル移動機構が内側スピンドルに加えられた力を解放すると、内側スピンドルは関連する外側スピンドルに対して反対の軸方向に移動し、またコレットフィンガは、コレットパッドが棒材と係合解除してこれを解放するように、自身の元の位置に向かって半径方向外向きに移動（すなわち、跳ね戻る）できるようになる。
【０００４】
送り管（フィードチューブ）が、関連するスピンドルアセンブリ軸を中心に回転し、かつこれに対して軸方向に移動するように、各内側スピンドル内に配置される。送り管は、前記送り管内の貫通した１本の棒材と係合するように構成された、複数の送りフィンガを有する。送り管および送りフィンガが内側スピンドルに対していずれかの軸方向（すなわち、前方および後方）に選択的に往復移動するように、これを選択的に生じさせるための送り管移動手段または機構が設けられる。コレットフィンガがワークピースから半径方向に離間してコレットを開放したときに、かかる送り管の移動をコレットの動作と連携させて、送りフィンガが棒材をコレットに向かって前方に、かつこれを通して送ることができるようにしている。コレットが閉鎖すると、送りフィンガが閉鎖したコレット内に保持された棒材に沿ってスライドする状態で、送り管がコレットから後方へ離間する。
【０００５】
１つの特定のタイプの旋盤として、Ｄａｖｅｎｐｏｒｔ（登録商標）製の５軸自動旋盤が挙げられる。Ｄａｖｅｎｐｏｒｔ（登録商標）は、ニューヨーク州、ロチェスター１４６１１、エイムズ・ストリート１６７番地に所在し、同住所のＤａｖｅｎｐｏｒｔ  Ｍａｃｈｉｎｅ社の親会社であるＢｒｉｎｋｍａｎ  Ｐｒｏｄｕｃｔｓ社の登録商標である。Ｄａｖｅｎｐｏｒｔ（登録商標）旋盤の原型は、１９世紀後半から２０世紀初頭に開発されたものである。多くの初期バージョンおよび再製造されたＤａｖｅｎｐｏｒｔ（登録商標）旋盤は今日も依然として稼働しており、最新の旋盤も販売されている。
【０００６】
Ｄａｖｅｎｐｏｒｔ（登録商標）製モデルＢの５軸旋盤の基本構造と動作については、ｈｔｔｐｓ：／／ｗｗｗ．ｙｏｕｔｕｂｅ．ｃｏｍ／ｗａｔｃｈ？ｖ＝Ｎ８ｈＢｔｏＮｉ３ＥＩで視聴可能な「Ｄａｖｅｎｐｏｒｔ製モデルＢ−多軸旋盤＃１（“Ｄａｖｅｎｐｏｒｔ  Ｍｏｄｅｌ  Ｂ−Ｍｕｌｔｉ−Ｓｐｉｎｄｌｅ  Ｓｃｒｅｗ  Ｍａｃｈｉｎｅ  ＃１”）」、およびｈｔｔｐｓ：／／ｗｗｗ．ｙｏｕｔｕｂｅ．ｃｏｍ／ｗａｔｃｈ？ｖ＝ｐｐＱｙｄＰ２ｂｄ４ｋで視聴可能な「Ｄａｖｅｎｐｏｒｔ製モデルＢ−多軸旋盤＃２（“Ｄａｖｅｎｐｏｒｔ  Ｍｏｄｅｌ  Ｂ−Ｍｕｌｔｉ−Ｓｐｉｎｄｌｅ  Ｓｃｒｅｗ  Ｍａｃｈｉｎｅ  ＃２”）」というタイトルの動画において示され、かつ説明されており、その開示内容全体は参照により本明細書中に引用するものとする。インデックス機構（割り出し機構）は、フレームに対する５つの一連の割出し位置（すなわち、０°、７２°、１４４°、２１６°、２８８°、…）で、フレームに対してヘッドを制御可能に回転させるように構成されている。これらの旋盤は、フレームに取り付けられ、かつヘッドにおける角度的に離間した種々の割出し位置の各位置で、複数のスピンドルアセンブリのコレットによって保持され、かつこれらを越えて延びている片持ち長さの棒材（すなわちワークピース）と係合するように動作可能に配置されるいくつかの切削および成形工具を有する。単一のモータがギヤ列によって作動し、かつ５つのスピンドルアセンブリのそれぞれを、それら自体の個別のスピンドルアセンブリ軸を中心に、同じ角速度で同時に回転させている。切削および成形工具はモータの出力軸に機械的に連結され、かつ各ヘッド割出し位置において、ワークピースに対して（軸方向および半径方向の両方に）種々の動作を（種々のカムおよびフォロアを介して）実行するように調整されている。
【０００７】
長年にわたり、これらのＤａｖｅｎｐｏｒｔ（登録商標）旋盤の性能は、サーボ制御の追加（例えば米国特許第６，４２１，８９５（Ｂ２）号明細書を参照）によって、マン・マシン・インターフェース制御（同書）の追加によって、ヘッドの改良によって、高精度スピンドルアセンブリ（例えば米国特許第６，８１７，２７３（Ｂ２）号明細書および米国特許第７，０３６，９９１（Ｂ２）号明細書を参照）によって、迅速交換可能なベアリングアセンブリ（例えば米国特許第７，４０２，９２７（Ｂ２）号明細書を参照）によって、大型の棒材に対応するための大型スピンドルアセンブリ（例えば２０１６年３月３１日に出願された、米国特許出願第１５／０８７，３８１号明細書を参照）によって、かつ改良されたコレット（同書）の使用などを通して、改良されてきた。実際、他者は、かかるＤａｖｅｎｐｏｒｔ（登録商標）旋盤に対して彼らが改良であると判断した点について、特許出願を行っている。（例えば米国特許第６，０００，４９９号明細書、米国特許第５，３５６，２４４号明細書、および米国特許第５，２０５，３７６号明細書を参照）。これらの先行技術特許および特許出願すべての開示内容全体は、かかるＤａｖｅｎｐｏｒｔ（登録商標）旋盤の関連部分およびこれらに対する具体的な改良をそれぞれ説明するために、参照により本明細書中に引用するものとする。このように、機械式のＤａｖｅｎｐｏｒｔ（登録商標）５軸自動旋盤は、これらの種々の改良を通してそれらの機能、精度、および性能を向上させるというある種のルネッサンスを享受してきた。
【０００８】
かかる工作機械の別のタイプとしてはＰｅｎｔａ  ５１８  ５軸旋盤があり、これはインディアナ州インディアナポリス４６２６８、ウエスト７９番街４９５０番地に所在するＺＰＳ  Ａｍｅｒｉｃａ社（ｗｗｗ．ｚｐｓａｍｅｒｉｃａ．ｃｏｍ）、およびチェコスロバキア、マレノヴィツェ、ティルン、ＣＺ−７６４８７、クベトゥナ１１８０、トリダ３に所在するＴａｊｍａｃ−ＺＰＳ社（ｗｗｗ．ｔａｊｍａｃ−ｚｐｓ．ｃｚ）によって製造され、販売中であるとされている。Ｐｅｎｔａ５１８旋盤は、別の機械式多軸工作機械である。Ｐｅｎｔａ５１８旋盤については、記事「Ｆｉｖｅ−Ｓｐｉｎｄｌｅ  Ｌａｔｈｅ  Ｅｘｐａｎｄｓ  ＣＮＣ  Ｍｕｌｔｉ  Ｌｉｎｅ」、「Ｐｒｏｄｕｃｔｉｏｎ  Ｍａｃｈｉｎｉｎｇ」、第１７巻第３号（２０１７年３月）に示され、かつ記載されている。
【０００９】
近年、デジタル技術を使用して、種々のスピンドルアセンブリの回転を互いに独立して制御し、種々の工具の動作を制御し、かつフレームに対するヘッドの位置を高価なエンコーダによってモニタリングするための、改良されたＣＮＣ旋盤が開発されている。これらのＣＮＣ旋盤は確かに機能的であるが、購入するには高価であり、また一般にこれらをプログラムするために、特別に訓練されたオペレータを必要とする。そのため、これらのＣＮＣ旋盤は、プログラミングおよび設定により高いコストをかける効果が、製造される多数の部品に波及していく可能性がある、長期に及ぶ製造工程にとりわけ適している。現行のＣＮＣ旋盤も同様に、前述のＺＰＳ  Ａｍｅｒｉｃａ社およびＴａｊｍａｃ−ＺＰＳ社によって製造され販売中であるとされている。このＣＮＣ旋盤の価格は８０万ドルを超えるとされている。
【００１０】
しかしながら、Ｄａｖｅｎｐｏｒｔ（登録商標）５軸旋盤などの既存の機械式工作機械に追加の改良を行って、それらの精度、性能、および寿命をさらに向上させることができる。それらは一般的に、最新のＣＮＣ旋盤よりも高速であり、より生産的かつ経済的である。
【００１１】
したがって、一般にかかる機械式多軸旋盤、具体的にはＤａｖｅｎｐｏｒｔ（登録商標）多軸自動旋盤に対して改良を行うことが、依然として必要とされていると考えられており、これにより、（１）スピンドルアセンブリがこれらの各軸を中心に、互いに独立してヘッドに対して回転することができ、（２）フレームに対するヘッドの角度位置を高価なエンコーダなどを使用することなく求めるための、低コストでありながら効果的な手段をもたらし、（３）フレームに対してヘッドをより正確に取り付けることが可能となり、かつ（４）ワークピースに作用（ａｃｔｉｏｎ）を与えるように、フレーム上にバックラッシュゼロのツールスライドを設けることになる。
【先行技術文献】
【特許文献】
【００１２】
【特許文献１】米国特許第６，４２１，８９５号明細書
【特許文献２】米国特許第６，８１７，２７３号明細書
【特許文献３】米国特許第７，０３６，９９１号明細書
【特許文献４】米国特許第７，４０２，９２７号明細書
【特許文献５】米国特許出願第１５／０８７，３８１号明細書
【特許文献６】米国特許第６，０００，４９９号明細書
【特許文献７】米国特許第５，３５６，２４４号明細書
【特許文献８】米国特許第５，２０５，３７６号明細書
【非特許文献】
【００１３】
【非特許文献１】「Ｆｉｖｅ−Ｓｐｉｎｄｌｅ  Ｌａｔｈｅ  Ｅｘｐａｎｄｓ  ＣＮＣ  Ｍｕｌｔｉ  Ｌｉｎｅ」、「Ｐｒｏｄｕｃｔｉｏｎ  Ｍａｃｈｉｎｉｎｇ」、第１７巻第３号（２０１７年３月）
【発明の概要】
【００１４】
開示している実施形態（複数可）の対応する部品、部分または表面に関して、限定することを目的としてではなく単に例示することを目的として、本発明は工作機械で使用するためのいくつかの改良を提供する。
【００１５】
一態様では、本発明は、改良された多軸工作機械（２０）を提供するものであり、本工作機械は概して、フレーム（２２）と、部材軸（ｘ１−ｘ１）を中心に回転するように前記フレームに取り付けられる部材（２１）と、前記部材軸を中心に前記フレームに対して、角度的に離間した複数の割出し位置間で順次前記部材を選択的に回転させるように、前記フレームおよび部材間に作用するインデックス機構（２３）と、前記部材と共に回転するように、前記部材に取り付けられる複数のスピンドルアセンブリ（２６）であって、各前記スピンドルアセンブリは、それ自体の個別のスピンドルアセンブリ軸を中心に前記部材に対して回転するように取り付けられている、スピンドルアセンブリ（２６）と、前記フレームに取り付けられる複数のモータ（２９）と、前記部材に取り付けられ、かつ前記スピンドルアセンブリのそれぞれ１つと係合している複数のリングギヤ（３０）であって、各前記リングギヤは、前記モータのそれぞれ１つによって駆動されている、リングギヤ（３０）とを有し、それによって前記モータは互いに独立して作動されて、前記部材に対して前記スピンドルアセンブリをそれぞれ、所望の回転速度で選択的に回転させてもよい。
【００１６】
リングギヤを、部材軸（部材軸線）に沿って軸方向に互いから離間させてもよい。
【００１７】
モータはそれぞれ、出力軸と、出力軸に取り付けられる駆動ギヤとを有してもよく、また各駆動ギヤは、リングギヤのそれぞれ１つを回転させるように配置されている。
【００１８】
複数とは、５つであってもよい。
【００１９】
本工作機械はＤａｖｅｎｐｏｒｔ（登録商標）自動旋盤であってもよく、前記部材は旋盤のヘッドであってもよい。
【００２０】
インデックス機構はゼネバ（ジェネバ）インデックス機構であってもよい。
【００２１】
別の態様では、本発明は工作機械（２０）を提供するものであり、本工作機械は概して、フレーム（２２）と、部材軸（ｘ１−ｘ１）を中心に回転するように前記フレームに取り付けられる部材（２１）と、前記フレームに対して、角度的に離間した複数の割出し位置間で順次前記部材を選択的に回転させるように、前記フレームおよび部材間に作用するインデックス機構（２３）と、前記フレームに対する前記部材の角度位置を求めるためのセンサ装置（４０）とを有し、前記センサ装置は、前記フレームおよび部材の一方に取り付けられ、かつ前記フレームおよび部材の他方と対面するように配置される第１の複数のセンサ（５０、５１、５２）であって、前記センサは第１のアレイに配置されている、第１のセンサ（５０、５１、５２）と、各割出し位置で前記フレームおよび部材の他方に設けられ、かつ前記センサと対面するように配置される第２の複数のフィーチャ（５５−６１）であって、前記フィーチャは第２のアレイに配置されている、フィーチャ（５５−６１）と、前記フレームに対して前記部材の特定の割出し位置を示すような信号を、前記センサから生成する手段（６２）とを含む。
【００２２】
第２の複数のフィーチャは、一部の割出し位置において第１の複数のセンサと異なっていてもよい。
【００２３】
前記センサは、フェームと部材との界面を横切る材料の有無を感知するように、動作可能に配置される近接センサであってもよい。前記フィーチャは、フレームおよび部材の他方に設けられる少なくとも１つの穴を含んでいてもよい。
【００２４】
前記部材は、各割出し位置にあるとき、第１のアレイが第２のアレイと対面するように配置されてもよい。
【００２５】
前記部材は、複数のスピンドルアセンブリが自身に取り付けられたヘッドであってもよく、前記ヘッドはヘッド軸を有し、スピンドルアセンブリはそれぞれ個別のスピンドル軸を有し、またスピンドルアセンブリがヘッド軸を中心にヘッドと共に回転し、かつ個別のスピンドル軸それぞれを中心にヘッドに対して回転するように、これらをヘッドに取り付けている。
【００２６】
本工作機械はＤａｖｅｎｐｏｒｔ（登録商標）自動旋盤であってもよい。
【００２７】
別の態様では、本発明は、改良された多軸工作機械（２０）を提供するものであり、本工作機械は概して、フレーム（２２）と、部材軸（ｘ１−ｘ１）を中心に回転するように前記フレームに取り付けられる部材（２１）と、前記部材軸を中心に前記フレームに対して、角度的に離間した複数の割出し位置間で順次前記部材を選択的に回転させるように、前記フレームおよび部材間に作用するインデックス機構（２５）と、前記部材と共に回転するように、前記部材に取り付けられる複数のスピンドルアセンブリ（２６）であって、各前記スピンドルアセンブリは、それ自体の個別のスピンドルアセンブリ軸を中心に前記部材に対して回転するように取り付けられている、スピンドルアセンブリ（２６）と、前記フレームに対する前記部材の位置を前記割出し位置の各位置で制御することができるように、前記部材およびフレーム間に作用する少なくとも１つの転動体（６４）ベアリングとを備える。
【００２８】
本工作機械はＤａｖｅｎｐｏｒｔ（登録商標）自動旋盤であってもよく、前記部材は旋盤のヘッドであってもよい。
【００２９】
さらに別の態様では、本発明は、改良された多軸工作機械（２０）を提供するものであり、本工作機械は概して、フレーム（２２）と、部材軸（ｘ１−ｘ１）を中心に回転するように前記フレームに取り付けられる部材（２１）と、前記部材軸を中心に前記フレームに対して、角度的に離間した複数の割出し位置間で順次前記部材を回転させるように、前記フレームおよび部材間に作用するインデックス機構（２３）と、前記部材と共に回転するように、前記部材に取り付けられる複数のスピンドルアセンブリ（２６）であって、各前記スピンドルは、それ自体の個別のスピンドル軸を中心に前記部材に対して回転するように取り付けられている、スピンドルアセンブリ（２６）と、ワークピースを保持するように、各前記スピンドルアセンブリに取り付けられるチャックと、前記スピンドルアセンブリをそれぞれ、互いに独立して所望の角速度で制御可能に回転させる手段と、前記フレームに取り付けられ、かつ各割出し位置で前記ワークピースに対して制御可能に移動するように配置される、バックラッシュゼロのツールスライド（６５）と、前記ワークピース（Ｗ）に動作を付与するように、前記スライドに取り付けられるツール（７２）とを備える。
【００３０】
ツールスライドはボールねじを含んでいてもよい。
【００３１】
ツールスライドはリニアレールを含んでいてもよい。
【００３２】
本工作機械はＤａｖｅｎｐｏｒｔ（登録商標）５軸自動旋盤であってもよく、前記部材は旋盤のヘッドであってもよい。
【００３３】
したがって、本発明の概略的な目的は、概してかかる機械式多軸旋盤に対して、具体的にはＤａｖｅｎｐｏｒｔ（登録商標）多軸自動旋盤に対して改良を行うことであり、これにより、（１）スピンドルアセンブリがこれらの各軸を中心に、互いに独立してヘッドに対して回転することができ、（２）フレームに対するヘッドの角度位置を高価なエンコーダなどを使用することなく決定するための、低コストでありながら効果的な手段をもたらし、（３）フレームに対してヘッドをより正確に取り付けることが可能となり、かつ／または（４）ワークピースに作用を与えるように、フレーム上にバックラッシュゼロのツールスライドを設けることになる。これらの種々の改良を単独で、または互いに組み合わせて使用してもよい。
【００３４】
これらおよび他の目的および利点は、前述かつ言及中の本明細書、図面および添付の特許請求の範囲から明らかになるであろう。
【図面の簡単な説明】
【００３５】
【図１】本発明の改良を組み入れた多軸工作機械、より具体的には、改良されたＤａｖｅｎｐｏｒｔ（登録商標）５軸自動旋盤の一部を表す分正面図である。
【図２】図１に示すＤａｖｅｎｐｏｒｔ（登録商標）５軸自動旋盤の部分平面図である。
【図３】概して図１の３−３線に沿って見た部分縦断面図である。
【図４】スピンドルアセンブリをヘッドに取り付けるための改良された手段について、図３に示す楕円内で抜粋したものを大幅に拡大した詳細図である。
【図５】ガードに取り付けられ、かつインデックス装置の従動ギヤ上のフィーチャと相互作用するように配置されたセンサ装置の一形態を示す、ヘッドおよびインデックス機構の一部を表す部分側面図である。
【図６】概して図５の６−６線に沿って見た部分縦断面図である。
【図７】改良されたツールスライドの部分側面図である。
【図８】図７に示すツール側の部分平面図である。
【図９】概して図７の９−９線に沿って見た部分横断縦断面図である。
【発明を実施するための形態】
【００３６】
最初に明確に理解すべきは、類似の参照番号が、いくつかの図面を通して一貫して同一の構造要素、部分または表面を示すものであり、かかる要素、部分または表面は、本明細書全体においてさらに記載または説明されてもよく、本明細書のこの詳細な説明は不可欠な部分をなしているということである。別段の指示がない限り、図面を本明細書と共に読解する（例えばクロスハッチング、部品の配置、割合、程度など）ものとし、これらを本発明の明細書全体の一部と見なすべきである。以下の説明で使用する場合、「水平」、「垂直」、「左」、「右」、「上」および「下」という用語、ならびにその形容詞および副詞の派生語（例えば「水平に」、「右方向に」、「上方向に」など）は単に、特定の図が読み手に面した状態で、図示された構造の方向を指している。同様に、「内向きに」および「外向きに」という用語は概して、状況に応じてその延長軸または回転軸に対する表面の方向を指している。
【００３７】
ここで図面を参照すると、本発明は工作機械に一定の改良をもたらしている。図面において、特定のタイプの工作機械を、Ｄａｖｅｎｐｏｒｔ（登録商標）５軸自動旋盤として図示している。しかしながら、この改良はかかるＤａｖｅｎｐｏｒｔ（登録商標）旋盤での使用に限定されず、他のタイプの多軸工作機械への一般的な適用性をも有することを、明確に理解すべきである。したがって、本明細書で使用する場合、「工作機械」という用語は、概してワークピースに動作を付与するための機械を指すものとし、また「多軸工作機械」は、部材軸を中心にフレームに対して回転運動するように「部材」（「ヘッド」または「ドラム」として知られている場合もある）に取り付けられる、複数のスピンドルアセンブリを有する工作機械を指すものとする。多くの場合、ゼネバ型機構などのインデックス機構は、角度的に離間した複数の割出し位置を通して部材を順次回転させるように、動作可能に配置されている。
【００３８】
上述したように、長年にわたり、機械式多軸工作機械には一定の改良が行われ、これによってそれらの精度と機能とを向上させてきた。こうした従来技術の改良には、サーボ制御の追加によるもの、マン・マシン・インターフェース制御の追加によるもの、ヘッドの改良によるもの、高精度スピンドルアセンブリによるもの、迅速交換可能なベアリングアセンブリによるもの、大型の棒材に対応するための大型スピンドルアセンブリによるもの、および改良されたコレットの使用によるものなどが含まれている。
【００３９】
本発明は、かかる機械式多軸工作機械に対して一定の付加的改良をもたらすものである。これらの改良には、（１）スピンドルがそれらの各軸を中心に、互いに独立して部材に対して回転できるようにすることと、（２）フレームに対する前記部材の角度位置を高価なエンコーダなどを使用することなく決定するための、低コストでありながら非常に効果的なセンサ装置を設けることと、（３）フレームに対して前記回転可能な部材をより正確に取り付けられるようにすることと、（４）ワークピースに動作を付与するように、フレーム上にバックラッシュゼロのツールスライドを設けることとが含まれる。これらの改良された機能については、以下に順次述べていくものとする。
【００４０】
スピンドルアセンブリの独立した回転（図１から図４）
図１は、全体を２０で示す、Ｄａｖｅｎｐｏｒｔ（登録商標）５軸自動旋盤の一部を表す部分正面図である。以下の説明では、明確さを期すために、「既存」の（すなわち従来技術の一部である）旋盤の部分に関する詳細な説明は省略するものとする。部材軸ｘ１−ｘ１を中心に回転するようにフレーム２２に取り付けられる部材またはヘッド２１を有するものとして、本旋盤を示している。ゼネバ機構などのインデックス機構２３を、フレームおよびヘッド間に作用するように配置しており、これはまた、ヘッド軸ｘ１−ｘ１を中心に、角度的に離間した５つの割出し位置間で順次ヘッドを選択的に回転させるように動作可能である。図１から図４にはインデックス機構全体を示していないが、その従動輪２４を図５および図６に示している。ゼネバ型インデックス機構はよく知られており、これはＤａｖｅｎｐｏｒｔ（登録商標）旋盤で長年使用されている。
【００４１】
図１では、それぞれスピンドルアセンブリを収容するように構成された、円状に間隔を置いて配置され、かつ長手方向に延在する５つの開口部を有するものとして、ヘッド２１を示している。これらの割出し位置間の回転間隔は、５軸旋盤では７２°である。これら５つのヘッド開口部を各自２５で示しており、文字Ａ、Ｂ、Ｃ、ＤおよびＥによってそれぞれ個別に特定している。スピンドルアセンブリ２６自体はそれぞれが「既存」のものであり、これについては２０１６年３月３１日に出願された、米国特許出願第１５／０８７，３８１号明細書により詳細に示され、かつ記載されており、その開示内容全体は参照により本明細書中に引用するものとする
【００４２】
各ヘッド開口部に１つずつ、合計５つのスピンドルアセンブリ２６を設けている。添え字Ａ〜Ｅによってそれぞれ、スピンドルアセンブリを個別に示している。したがって、スピンドルアセンブリ２６Ａをヘッド開口部２５Ａ内に動作可能に配置し、またスピンドルアセンブリ２６Ｂ（図示せず）をヘッド開口部２５Ｂ内に動作可能に配置し、以下同様に行っている。図４では、かかる１つのスピンドルアセンブリ２６Ａを、関連部分に外側スピンドル２８Ａを含むものとして示している。内側スピンドル、コレット、送りフィンガ、ワークピース、およびワークピースを送り、かつ各スピンドルアセンブリのコレットを作動させる手段については、本改良を不明瞭にすることを回避するために省略している。ここでは、各スピンドルアセンブリ２６を関連するヘッド開口部２５内に配置し、これがそれぞれのスピンドルアセンブリ軸に沿って延在していると言及するにとどめる。図２および図４では、図１および図３の１２時の位置にあるスピンドルアセンブリ２６Ａを、これがスピンドル軸ｘＡ−ｘＡを有するものとして示している。他のスピンドルアセンブリ（図示せず）も、それぞれのスピンドル軸ｘＢ−ｘＢ、ｘＣ−ｘＣ、ｘＤ−ｘＤおよびｘＥ−ｘＥに沿って同様に延在している。スピンドルアセンブリ軸はそれぞれ、ヘッド軸ｘ１−ｘ１に平行である。各スピンドルアセンブリがヘッドと共に回転するように、これらをヘッドに取り付けており、かつそれ自体の個別のスピンドル軸を中心にヘッドに対して回転するように、これらをヘッドに取り付けている。
【００４３】
図１では、各自２９で示し、かつ添え字Ａ、Ｂ、…、Ｅによって個々に特定している複数のモータを、フレームに取り付けられているものとして示している。図４に最もよく示しているように、各自３０で示し、かつ添え字Ａ、Ｂ、…、Ｅによって個別に特定している複数のリングギヤを、ヘッド軸に沿って軸方向に離間した種々の位置でヘッドに取り付けており、また各自３１で示し、ここでも添え字Ａ、Ｂ、…、Ｅによってそれぞれ個々に特定しているタイミングベルトを介してスピンドルアセンブリ２６の関連する１つを回転させるように、これらをそれぞれ配置している。図４は、リングギヤ３０Ａが中間ギヤ３２Ａを介して外側スピンドル２８Ａに連結されているものとして、これを示している。リングギヤ３０Ｂ、３０Ｃ、３０Ｄ、および３０Ｅを、それぞれ同様の中間ギヤ３２Ｂ、３２Ｃ、３２Ｄ、および３２Ｅ（図示せず）を介して各自の外側スピンドル２８Ｂ、２８Ｃ、２８Ｄ、および２８Ｅ（図示せず）に同様に連結している。したがって、モータ２９Ａが、タイミングベルト３１Ａ、リングギヤ３０Ａおよび中間ギヤ３２Ａを介してスピンドルアセンブリ２６Ａを回転させるように配置され、モータ２９Ｂが、タイミングベルト３１Ｂ、リングギヤ３０Ｂおよび中間ギヤ３２Ｂを介してスピンドルアセンブリ２９Ｂを回転させるように配置され、モータ２９Ｃが、タイミングベルト３１Ｃ、リングギヤ３０Ｃおよび中間ギヤ３２Ｃを介してスピンドルアセンブリ２９Ｃを回転させるように配置され、モータ２９Ｄが、タイミングベルト３１Ｄ、リングギヤ３０Ｄおよび中間ギヤ３２Ｄを介してスピンドルアセンブリ２９Ｄを回転させるように配置され、モータ２９Ｅが、タイミングベルト３１Ｅ、リングギヤ３０Ｅおよび中間ギヤ３２Ｅを介してスピンドルアセンブリ２９Ｅを回転させるように配置されている。
【００４４】
図４では、各リングギヤ３０Ａ、３０Ｂ、…、３０Ｅを、それぞれころ軸受３３Ａ、３３Ｂ、…、３３Ｅを介してヘッドに回転可能に取り付けている。これらのいくつかの中間ギヤ３２Ａ、３２Ｂ、…、３２Ｅは、関連するスピンドルアセンブリの外側スピンドル２８にそれらの内面を固定していてもよく、またそれらの外面を、関連するリングギヤの内面と噛み合い係合させていてもよい。
【００４５】
米国特許第６，８１７，２７３（Ｂ２）号明細書および／または米国特許第７，０３６，９９１（Ｂ２）号明細書に示され、かつ記載されているような高精度ベアリングアセンブリによって、スピンドルアセンブリをヘッドに取り付けてもよい。
【００４６】
モータ２９はサーボモータ、またはステッピングモータなどであってもよい。種々のモータを互いに独立して作動させて、ヘッドに対してスピンドルアセンブリをそれぞれ、所望の回転速度で選択的に回転させ、これにより、各割出し位置で保持されているワークピースの回転速度を制御可能に変更するようにしてもよい。さらに、この改良により、作業中に各割出し位置でワークピースを停止させ、反転させ、かつ方向付けることができる。
【００４７】
したがって、本第１の態様は、概して多軸工作機械２０を提供しており、本工作機械は、フレーム２１と、部材軸ｘ１−ｘ１を中心に回転するように前記フレームに取り付けられた部材２２と、前記部材軸を中心に前記フレームに対して、角度的に離間した複数の割出し位置間で順次前記部材を選択的に回転させるように、前記フレームおよび部材間に作用するインデックス機構２３と、前記部材と共に回転するように、前記部材に取り付けられる複数のスピンドルアセンブリ２６Ａ、２６Ｂ、…、２６Ｅであって、各前記スピンドルアセンブリは、それ自体の個別のスピンドルアセンブリ軸ｘＡ−ｘＡ、ｘＢ−ｘＢ、…、ｘＥ−ｘＥを中心に前記部材に対して回転するように取り付けられている、スピンドルアセンブリ２６Ａ、２６Ｂ、…、２６Ｅと、前記フレームに取り付けられる複数のモータ２９Ａ、２９Ｂ、…、２９Ｅと、前記部材に取り付けられ、かつ前記スピンドルアセンブリ２６Ａ、２６Ｂ、…、２６Ｅのそれぞれ１つと係合している複数のリングギヤ３０Ａ、３０Ｂ、…、３０Ｅであって、各前記リングギヤは、前記モータのそれぞれ１つによって駆動されている、リングギヤ３０Ａ、３０Ｂ、…、３０Ｅとを備え、これによって前記モータは互いに独立して作動されて、前記部材に対して前記スピンドルアセンブリをそれぞれ、所望の角速度で選択的に回転させてもよい。
【００４８】
ヘッド位置センサ（図５から図６）
ここで図５から図６を参照すると、ゼネバ型インデックス機構２３の従動輪２４が、ヘッドの歯付き部分３８と噛み合い係合する外側歯付き部分３６を有するものとして示されている。従動輪２４は、その外面上の円周方向に離間した種々の位置から半径方向内向きに延在している、複数の盲スロットを有する。ゼネバ機構の駆動輪（図示せず）に取り付けられるピン（図示せず）を収容するように、これらの盲スロットが構成される。よく知られているように、ゼネバ機構の駆動輪を回転させると、ゼネバ機構の従動輪がその軸ｘ２−ｘ２を中心に、７２°離間した５つの一連の角度割出し位置間で回転する。これにより、次いでヘッド２１による同様の割出し動作が起こる。
【００４９】
弓形ガード３９をフレーム２２に取り付けており、このガードはゼネバ機構の従動輪２４の一部を密接に包囲している。全体を４０で示しているセンサ装置が前記ガードに取り付けられ、かつ３つの近接センサ５０、５１、５２を備え、それらの感知ヘッドがゼネバ機構の従動輪上の協働フィーチャ（ｆｅａｔｕｒｅ）に密接に面接触するように配置される。図示の実施形態では、これらのフィーチャ（特徴的構成）は、５つの割出し位置の各位置において従動輪に穿設された種々のパターンの穴である。
【００５０】
ヘッド開口部２５Ａが１２時の位置にあるとき（図６に示すように）、近接センサ５０および５１は、従動輪に穿設された止まり穴５３、５４と半径方向に位置合わせされている。しかしながら、近接センサ５２はいずれの穴とも位置合わせされず、隣接する従動輪の近接部分の存在を感知する。
【００５１】
インデックス機構を作動させてヘッド開口部２５Ｂを１２時の位置に移動させると（図６に示すように）、近接センサ５１は、従動輪に穿設された止まり穴５５と位置合わせされる。しかしながら、近接センサ５０、５２はいずれの穴とも位置合わせされず、隣接する従動輪の近接部分の存在を感知する。
【００５２】
インデックス機構を作動させてヘッド開口部２５Ｃを１２時の位置に移動させると（図６に示すように）、近接センサ５０はいずれの穴とも位置合わせされず、隣接する従動輪の近接部分の存在を感知する。しかしながら、近接センサ５１、５２は、従動輪に穿設された止まり穴５６、５８とそれぞれ位置合わせされる。
【００５３】
インデックス機構を作動させてヘッド開口部２５Ｄを１２時の位置に移動させると（図６に示すように）、近接センサ５０、５２はそれぞれ、従動輪に穿設された止まり穴５９、６０と位置合わせされる。しかしながら、近接センサ５１はいずれの穴とも位置合わせされず、隣接する従動輪の近接部分の存在を感知する。
【００５４】
インデックス機構を作動させてヘッド開口部２５Ｅを１２時の位置に移動させると（図６に示すように）、近接センサ５２は、従動輪に穿設された止まり穴６１と位置合わせされる。しかしながら、近接センサ５０、５１はいずれの穴とも位置合わせされず、隣接する従動輪の近接部分の存在を感知する。
【００５５】
したがって、３つの近接センサ５０、５１、５２は前記ガードに取り付けられ、かつ５つの割出し位置の各位置において従動輪上のフィーチャと相互作用するように配置される。これらのフィーチャは、各割出し位置でセンサと対面する材料の有無を近接センサがそれぞれ感知または判定できるように、単に各割出し位置で１または複数の穴の協働アレイとなっていてもよい。前記フィーチャのアレイは各割出し位置で異なるので、近接センサからの出力信号を使用して、各割出し位置でのフレームに対するヘッドの角度位置を示してもよい。この構成は安価でありながら効果的であり、ＣＮＣ旋盤に一般的に見られる高コストのエンコーダまたはレゾルバの使用を回避している。
【００５６】
したがって本態様は、概して工作機械２０を提供し、この工作機械は、フレーム２２と、部材軸ｘ１−ｘ１を中心に回転するように前記フレームに取り付けられた部材２１と、前記フレームに対して、角度的に離間した複数の割出し位置間で順次前記部材を選択的に回転させるように前記フレームおよび部材間に作用するインデックス機構２３と、前記フレームに対する前記部材の角度位置を求めるためのセンサ装置４０とを有し、このセンサ装置４０は、前記フレームおよび部材の一方に取り付けられ、前記フレームおよび部材の他方と対面するように配置され、かつ第１のアレイに配置される第１のセンサ５０、５１、５２と、各割出し位置で前記フレームおよび部材の他方に設けられ、前記センサと対面するように配置され、かつ第２のアレイに配置される第２の複数のフィーチャ５３、５４、５５、５６、５８、５９、６０、６１と、前記フレームに対して前記部材の特定の割出し位置を示すような信号を、前記センサから生成する手段６２とを含む。
【００５７】
前記センサ装置においては、（上述のような）近接センサ、磁気センサ、または前記センサを従動ギヤに接触させるか、もしくは接触させない他のタイプのセンサを採用してもよい。また、前記センサ装置がヘッド自体の割出し位置を直接感知するように配置してもよい。
【００５８】
改良されたヘッド装着（図４）
機械式多軸工作機械の既知の従来技術の形態では、部材（またはヘッド）は通常、外向きかつ大径の円筒面を有し、これらの円筒面は、ヘッドの円筒面と対面するように配置された内向きの円筒面を有する大径のヘッド開口部に簡単に軸支されていた。そのためヘッドは、ヘッド軸を中心に回転するように、フレーム上に簡単に軸支されていた。しかしながら、ヘッドおよびフレームの対面する円筒面間の半径方向間隙は機械加工公差に寄与し、工作機械の確度や精度を低下させてきた。
【００５９】
図４では、本発明を、ヘッドとフレームとの間に各自６３で示しているベアリングを設けるものとして示している。これらのベアリングはそれぞれ、その内側レースと外側レースとの間に配置されるローラーボール６４などの少なくとも１つのローラー要素を有する。その結果として、本構成により、ヘッドがフレームに対して即座に回転できるようになり、同時にヘッドがフレーム上に単純に軸支される従来技術の構造において存在していた半径方向間隙を排除している。
【００６０】
このように、本発明の本態様は、改良された多軸工作機械（２０）を提供しており、本工作機械は概して、フレーム（２２）と、部材軸（ｘ１−ｘ１）を中心に回転するように前記フレームに取り付けられた部材（２１）と、前記部材軸を中心に前記フレームに対して、角度的に離間した複数の割出し位置間で順次前記部材を選択的に回転させるように、前記フレームおよび部材間に作用するインデックス機構（２５）と、前記部材と共に回転するように、前記部材に取り付けられた複数のスピンドルアセンブリ（２６）であって、各前記スピンドルアセンブリが、それ自体の個別のスピンドルアセンブリ軸を中心に前記部材に対して回転するように取り付けられているスピンドルアセンブリ（２６）と、前記フレームに対する前記部材の位置を各割出し位置で制御することができるように、前記部材およびフレーム間に作用する少なくとも１つの転動体（６４）とを備える。
【００６１】
改良されたツールスライド（図７から図９）
ここで図７から図９を参照すると、全体を６５で示している改良されたツールスライドを、機械フレーム２２に取り付けられているものとして示している。ツールスライドは、再循環ボールねじ６６とリニアレール６８とを含む。機械フレームに取り付けられるモータＭによって回転するように、ボールねじを配置している。リニアレールは、フレームに取り付けられる固定レール状部分６９を有し、かつ、前記レール状部分によってガイドされ、かつボールねじによって駆動される可動部分７０を有する。前記可動部分にツールホルダ７１を取り付けており、ツール７２を、ワークピースＷに対して接近かつ離間させるように配置している。改良されたツールスライドにおいて顕著な特徴として、実質的にバックラッシュゼロでこれをワークピースに対して接近かつ離間させることができる点が挙げられる。このため、ツールの移動はボールねじモータに供給される電流の極性および大きさに実質的に比例するので、ツールの位置を電気的に制御することができるようになっている。
【００６２】
必要に応じて、改良されたツールスライドをフレームに動作可能に取り付けて、ツールをワークピースに対して軸方向または半径方向に選択的に移動させることができる。
【００６３】
したがって、本発明の本態様は、改良された多軸工作機械（２０）を提供し、この工作機械は概して、フレーム（２２）と、部材軸（ｘ１−ｘ１）を中心に回転するように前記フレームに取り付けられる部材（２１）と、前記部材軸を中心に前記フレームに対して、角度的に離間した複数の割出し位置間で順次前記部材を回転させるように、前記フレームおよび部材間に作用するインデックス機構（２３）と、前記部材と共に回転するように、前記部材に取り付けられる複数のスピンドルアセンブリ（２６）であって、各前記スピンドルは、それ自体の個別のスピンドル軸を中心に前記部材に対して回転するように取り付けられている、スピンドルアセンブリ（２６）と、ワークピースを保持するように、各前記スピンドルアセンブリに取り付けられるチャックと、前記スピンドルアセンブリをそれぞれ、互いに独立して所望の角速度で制御可能に回転させる手段と、前記フレームに取り付けられ、かつ各割出し位置で前記ワークピースに対して制御可能に移動するように配置される、バックラッシュゼロのツールスライド（６５）と、前記ワークピース（Ｗ）に動作を付与するように、前記スライドに取り付けられるツール（７２）とを備える。
【００６４】
修正
本発明においては、多くの変更および修正がなされ得ることを想定している。例えば、サーボモータなどが好ましいが、他のタイプのモータで代用してもよい。同様に、本発明はタイミングベルト駆動装置での使用に限定されない。他のタイプの駆動装置でも容易に代用できる。
【００６５】
好ましい形態では、近接センサをセンサ装置の一部として使用している。しかしながら、磁気センサなどの他のタイプのセンサで代用することができる。
【００６６】
特許請求の範囲におけるＤａｖｅｎｐｏｒｔ（登録商標）多軸旋盤への言及は、特許請求の範囲に対する限定となることを想定している。
【００６７】
したがって、本発明の好ましい形態を示し、かつ記載し、そのいくつかの変更および修正について述べたが、以下の特許請求の範囲に定義され、かつ区別される本発明の趣旨から逸脱することなく、種々の変更および修正を別途なし得ることを、当業者であれば容易に理解するであろう。
【図１】
2020128006.tif 000003
【図２】
2020128006.tif 000004
【図３】
2020128006.tif 000005
【図４】
2020128006.tif 000006
【図５】
2020128006.tif 000007
【図６】
2020128006.tif 000008
【図７】
2020128006.tif 000009
【図８】
2020128006.tif 000010
【図９】
2020128006.tif 000011